(57)【要約】【課題】  コネクタセット不良・ケーブル断線（開放状態）を検査員または修理者による確認を必要とせず、自動で検出できる電子機器を提供する。【解決手段】  制御基板１の制御部２からの制御信号によって動作させる電装メカ部品１０を搭載する電子機器において、制御基板１にあって電装メカ部品１０を駆動する制御信号線に電流検知部３を追加した。【選択図】  図１
2005323107.tif 000002
【特許請求の範囲】
【請求項１】
制御基板の制御部からの制御信号によって動作させる電装メカ部品を搭載する電子機器において、前記制御基板に備えられ、前記電装メカ部品を駆動する制御信号線に流れる電流を検出する電流検知部を備えたことを特徴とする電子機器。
【請求項２】
制御基板の制御部からの制御信号によって動作させる電装メカ部品を搭載する電子機器において、前記制御基板に備えられ電源電圧線に流れる電流を検出する電流検知部を備えたことを特徴とする電子機器。
【請求項３】
前記電流検知部は、前記電源電圧線に流れる電流に応じて両端に電圧降下を生じる抵抗素子と、該抵抗素子の両端の電圧降下レベルを検出するコンパレータとを有する検知制御部を備えたことを特徴とする請求項２記載の電子機器。
【請求項４】
前記制御基板に前記電流検知部により検知された電流結果を保存する結果保存部を備えたことを特徴とする請求項２または請求項３記載の電子機器。
【請求項５】
前記電流検知部に電圧の降下量を段階的に検出するＡＤコンバータを備えたことを特徴とする請求項２または請求項３記載の電子機器。
【請求項６】
請求項１または２記載の電子機器を構成することを特徴とする画像形成装置。
【発明の詳細な説明】
【技術分野】
【０００１】
本発明は、ソレノイド、電磁クラッチ、ファンモータ等の電装メカ部品を搭載する、複写機、ファクシミリ装置、プリンタ等を含む電子機器に関する。
【背景技術】
【０００２】
制御基板の中の制御部からの制御信号によって動作させる電装メカ部品を搭載する画像形成装置に関連して、例えば、特許文献１では、駆動モータのトルク変動を電流変動で捉えて異常を検出している。なお、トルク変動を伴わないファンモータ・電磁クラッチ・ソレノイドについては言及していない。
【特許文献１】特開２００１−１４７６１４公報
【発明の開示】
【発明が解決しようとする課題】
【０００３】
電子機器において、電装メカ部品の動作不良の検出に関連して、従来から負荷の短絡についての検出手段はあるが、開放についての検出はロック信号付きのモータしか対象にしていない（ロック信号付きのモータについては、一定時間以内にロック信号が入らないと故障とみなす。ロック信号が付いていないモータ、例えばファンモータについては開放していても故障検出できない）。
また、開放（負荷の制御基板へのコネクタ接続不良を含む）状態の確認については、該当負荷をＯＮさせて検査員または修理者が動作確認を行うため、組立コストが掛かり、確認漏れが発生する可能性がある。
本発明は、コネクタセット不良・ケーブル断線（開放状態）を検査員または修理者による確認を必要とせず、自動で検出できる電子機器を提供することを目的とする。
【課題を解決するための手段】
【０００４】
上記目的を達成するために、請求項１記載の発明は、制御基板の制御部からの制御信号によって動作させる電装メカ部品を搭載する電子機器において、前記制御基板に備えられ、前記電装メカ部品を駆動する制御信号線に流れる電流を検出する電流検知部を備えたことを特徴とする。
請求項２記載の発明は、制御基板の制御部からの制御信号によって動作させる電装メカ部品を搭載する電子機器において、前記制御基板に備えられ電源電圧線に流れる電流を検出する電流検知部を備えたことを特徴とする。
請求項３記載の発明は、前記電流検知部は、前記電源電圧線に流れる電流に応じて両端に電圧降下を生じる抵抗素子と、該抵抗素子の両端の電圧降下レベルを検出するコンパレータとを有する検知制御部を備えたことを特徴とする。
請求項４記載の発明は、前記制御基板に前記電流検知部により検知された電流結果を保存する結果保存部を備えたことを特徴とする。
請求項５記載の発明は、前記電流検知部に電圧の降下量を段階的に検出するＡＤコンバータを備えたことを特徴とする。
請求項６記載の発明は、請求項１または２記載の電子機器を構成する画像形成装置を最も主要な特徴とする。
【発明の効果】
【０００５】
本発明では、コネクタセット不良・ケーブル断線（開放状態）による動作不良を、検査員または修理者が直接該当部品の動作を確認することなく機器内で検出できるようになる。
【発明を実施するための最良の形態】
【０００６】
以下、本発明の実施の形態を図面に従って説明する。
図１は本発明の第１の実施形態に係る電子機器のブロック図である。制御基板１の制御部２から電装メカ部品（例えばファンモータ）１０を駆動するための制御信号を出して電装メカ部品１０を駆動する。ここで、制御基板１内にあって制御部２と電装メカ部品１０の間に、電流検知部３を追加して電装メカ部品１０に電流が流れているかを検出して、制御部２にフィードバックを掛ける構成とする。
図２は電流検知部３の構成例を示す図である。制御信号線に直列に微小抵抗３１を入れて、その両端の電圧をコンパレータ３２で比較するようにしたことから、規定の電圧以上の電圧降下が微小抵抗３１にて発生している場合には電装メカ部品１０に規定の電流が流れていて断線・接続不良は無いものと判断できる。
すなわち、（Ｖ１―Ｖ２）≧規定電圧の場合、電装メカ部品１０に一定以上の電流が流れていて、断線はない。その結果は制御部２にフィードバックし、検出対象の電装メカ部品１０の重要度合いから、図示しない操作部への表示または機器動作停止を行う。
図３は本発明の第２の実施形態に係る電子機器のブロック図である。第２の実施形態は、電流検知部３を制御信号線から電源供給線側に移動したものである。電流が流れているかどうかを検出する電流検知部３の構成に関しては、図２と同様である。即ち、電源から流れる電流による電圧降下により検出するものである。
図４は本発明の第３の実施形態に係る電子機器のブロック図である。電源系列が２個以上あると電流検知部３が系列数だけ必要になり、回路が占有する面積増加や電子部品点数の増加に繋がることから、第３の実施形態では、電流検知部３に検知制御部３３を設ける。
そして、各電源系列の電流検知用比較端子（コンパレータ３２に入力する線）を、検知制御部３３に入力して制御部２からの切替信号に応じて電流検知を実施する。例えば、アナログスイッチを使用してコンパレータ３２への入力を制御部２からの信号に応じて＋２４ＶＡ側にするか+２４ＶＢ側にするか切り替えて検知を行う。
本実施形態では、電装メカ部品１０の電源系列が違った場合でも、電流検知部３自体は共通で切り替えて検知動作が可能になり、回路面積・部品点数の節約ができる。
【０００７】
図５は本発明の第４の実施形態に係る電子機器のブロック図である。同一電源系列に接続する電装メカ部品が多数ある場合、同時に電装メカ部品を駆動するとどの部品に電流が流れているか不明になってしまうことから、第４の実施形態では、制御基板１に結果保存部４を追加して、なおかつ機器ソフトにテストモードを追加して各々の電流検知を行う。
テストモードは、確認必要な電装メカ部品１０の順番に、電装メカ部品ＯＮ→検出動作→結果保存→電装メカ部品ＯＦＦを繰り返し一連の検出動作が終了したところで結果をまとめて制御部２にフィードバックする。また、テストモードを電源ＯＮ時のセルフチェックに盛り込むことによって追加の作業が発生することなく、各電装メカ部品１０(１０−１〜１０−３)の断線・接続不良が検出可能になる。
本実施形態では、結果保存部４を追加し、連続してシーケンシャルに複数の電装メカ部品１０の電流検知を行うので、確認が容易で電源ＯＮ時のセルフチェックにも展開できる。
図６は本発明の第５の実施形態に係る電子機器のブロック図である。第５の実施形態では、電流検知部３の内部にＡＤコンバータ３４を追加して電圧の降下量を段階的に検出できるようにする。これにより複数の電装メカ部品１０の状態を同時に検出でき、確認時間の短縮を図ることができる。
【図面の簡単な説明】
【０００８】
【図１】本発明の第１の実施形態に係る電子機器のブロック図である。
【図２】電流検知部の構成例を示す図である。
【図３】本発明の第２の実施形態に係る電子機器のブロック図である。
【図４】本発明の第３の実施形態に係る電子機器のブロック図である。
【図５】本発明の第４の実施形態に係る電子機器のブロック図である。
【図６】本発明の第５の実施形態に係る電子機器のブロック図である。
【符号の説明】
【０００９】
１  制御基板
２  制御部
３  電流検知部
１０  電装メカ部品
【図１】
2005323107.tif 000003
【図２】
2005323107.tif 000004
【図３】
2005323107.tif 000005
【図４】
2005323107.tif 000006
【図５】
2005323107.tif 000007
【図６】
2005323107.tif 000008